(57)【要約】【課題】特定の施解錠操作を行うことなく容易に錠の施解錠が行える。【解決手段】携帯機１０は、リーダ２０の通信エリア内に近接し、ＩＤ信号の送信を要求するリーダ２０からの照会信号を所定の受信タイミングで受信したときにＩＤ信号を送信する。リーダ２０は、照会信号を周期的に送信し、この照会信号に対するＩＤ信号を携帯機１０との間の通信距離に応じたＡＧＣレベルで受信し、受信したＩＤ信号が登録済みか否かを判別し、ＩＤ信号が登録済みで２回目の受信のときのＩＤ信号のＡＧＣレベルと１回目の受信のときのＡＧＣレベルとを比較して所定範囲内のレベルの増加と判定したときに錠を施解錠するための信号を出力する。【選択図】図１
2008082097.tif 000002
【特許請求の範囲】
【請求項１】
利用者を特定する認証用のＩＤ信号を送信する携帯機と、該携帯機から送信される前記ＩＤ信号を受信するリーダとを備え、前記携帯機が前記リーダの所定の通信エリア内に近接した際に起動する誘導磁界を利用して錠の施解錠を行う電気錠システムであって、
前記携帯機は、前記リーダの通信エリア内に近接し、前記ＩＤ信号の送信を要求する前記リーダからの照会信号を所定の受信タイミングで受信したときに前記ＩＤ信号を送信し、
前記リーダは、前記照会信号を周期的に送信し、該照会信号に対するＩＤ信号を前記携帯機との間の通信距離に応じたＡＧＣレベルで受信し、該受信したＩＤ信号が登録済みか否かを判別し、前記ＩＤ信号が登録済みで２回目の受信のときの該ＩＤ信号のＡＧＣレベルと１回目の受信のときのＡＧＣレベルとを比較して所定範囲内のレベルの増加と判定したときに前記錠を施解錠するための信号を出力することを特徴とする電気錠システム。
【請求項２】
前記リーダは、前記ＩＤ信号と前記ＡＧＣレベルの情報を記憶する記憶手段を備え、
前記携帯機から受信したＩＤ信号が登録済みで１回目の受信のときに、該受信したＩＤ信号とＡＧＣレベルの情報を前記記憶手段に記憶し、
前記携帯機から受信したＩＤ信号が登録済みで２回目の受信のときの該ＩＤ信号のＡＧＣレベルの増加が前記所定範囲内のときには、該ＩＤ信号とＡＧＣレベルの情報を、前記錠を施解錠するための信号の出力後に前記記憶手段から消去し、
前記携帯機から受信したＩＤ信号が登録済みで２回目の受信のときの該ＩＤ信号のＡＧＣレベルの増加が前記所定範囲内にないときには、該ＩＤ信号とＡＧＣレベルの情報を前記記憶手段から消去し、
前記携帯機から受信したＩＤ信号が登録済みでないときには、該ＩＤ信号とＡＧＣレベルの情報を破棄することを特徴とする請求項１記載の電気錠システム。
【発明の詳細な説明】
【技術分野】
【０００１】
本発明は、利用者を特定する認証用のＩＤ信号を送信する携帯機と、この携帯機から送信されるＩＤ信号を受信するリーダとを備え、携帯機がリーダの所定の通信エリア内に近接した際に起動する誘導磁界を利用して錠の施解錠を行う電気錠システムに関するものである。
【背景技術】
【０００２】
従来より、セキュリティの向上や操作性の向上を目的に、施解錠用のＩＤコードを用いた電子制御による扉錠の施解錠装置が提案されている。この種の施解錠装置は、利用者が所有する携帯型のリモコンキーと、リモコンキーが送信するＩＤを受信する施解錠機構とからなり、無線通信によるＩＤ照合結果に基づいて錠の施解錠を行う。なお、このような施解錠装置については、例えば下記特許文献１に記載されたものが公知である。
【０００３】
図６は特許文献１に開示される施解錠装置の概略構成を示している。図６に示すように、送信アンテナと受信アンテナとを設けた送受信機と、この送受信機とシリンダ錠とを備えると共に施解錠する者の意志による操作で施解錠することができるタッチスイッチ１０１を設けた外側錠部１０２とがドア１０３の外面に配設されている。また、ドア１０３の内面には、送信アンテナと受信アンテナとを設けた送受信機と、施解錠機構の電動駆動部を設けたサムタ−ン装置とを備えると共にタッチスイッチ１０４を設けた内側錠部１０５とが配設されている。この施解錠装置では、携帯機１０６からのレスポンスコ−ド信号の受信にしたがってコントロ−ラ１０７が施解錠の準備モ−ドに移行し、この準備モ−ドにおいてタッチスイッチ１０１または１０４を操作することにより、施錠又は解錠が実行される構成となっている。
【特許文献１】特開２００３−３４３１２９号公報
【発明の開示】
【発明が解決しようとする課題】
【０００４】
このように、特許文献１に開示される従来の施解錠装置では、施解錠時に利用者が扉に近接した状態で扉に配設されたタッチキーが押下されると、利用者に施解錠意志があるものと認識して錠の施解錠を行っていた。
【０００５】
しかしながら、上述した従来の施解錠装置では、利用者の施解錠意志を確認するためにタッチキーの押下を必要不可欠としており、利用者の両手がふさがった状態ではタッチキーの押下が困難であり、特に重い荷物を持っている場合に無理してタッチキーを押下しようとすると、転倒や荷物の落下などの事故につながるおそれがあった。また、特に上肢が不自由な身障者などのように、手が自由に使えない利用者では、タッチキーが押下できず施解錠を行うことができなかった。さらに、タッチキーの設置場所が成人の標準身長に合せた高さに設置されていることが多いため、利用者が低身長の子供や老人など場合にスムーズに施解錠操作が行えないという問題もあった。
【０００６】
また、この種の施解錠装置では、タッチキーが扉に配設されているため、悪戯によってタッチキーが破損したり、機能低下を招く可能性があった。しかも、押下操作しやすいように扉の表面にタッチキーが配設されるため、美観を損ねる要因にもなっていた。
【０００７】
ところで、施解錠装置の他の形態として、携帯機がリーダに近づいた際の受信レベルの大きさによって錠を解錠する方式も知られているが、この方式ではリーダに接近検知機能がないため、リーダの近くに携帯機が置かれた状態のまま放置されると、常に錠が解錠状態となってしまい、セキュリティ上問題があった。
【０００８】
そこで、本発明は上記問題点に鑑みてなされたものであり、利用者が特定の施解錠操作を行うことなく容易に錠を施解錠することができる電気錠システムを提供することを目的とするものである。
【課題を解決するための手段】
【０００９】
上記した目的を達成するために、請求項１に記載された電気錠システムは、利用者を特定する認証用のＩＤ信号を送信する携帯機と、該携帯機から送信される前記ＩＤ信号を受信するリーダとを備え、前記携帯機が前記リーダの所定の通信エリア内に近接した際に起動する誘導磁界を利用して錠の施解錠を行う電気錠システムであって、
前記携帯機は、前記リーダの通信エリア内に近接し、前記ＩＤ信号の送信を要求する前記リーダからの照会信号を所定の受信タイミングで受信したときに前記ＩＤ信号を送信し、
前記リーダは、前記照会信号を周期的に送信し、該照会信号に対するＩＤ信号を前記携帯機との間の通信距離に応じたＡＧＣレベルで受信し、該受信したＩＤ信号が登録済みか否かを判別し、前記ＩＤ信号が登録済みで２回目の受信のときの該ＩＤ信号のＡＧＣレベルと１回目の受信のときのＡＧＣレベルとを比較して所定範囲内のレベルの増加と判定したときに前記錠を施解錠するための信号を出力することを特徴とする。
【００１０】
請求項２に記載された電気錠システムは、請求項１の電気錠システムにおいて、
前記リーダは、前記ＩＤ信号と前記ＡＧＣレベルの情報を記憶する記憶手段を備え、
前記携帯機から受信したＩＤ信号が登録済みで１回目の受信のときに、該受信したＩＤ信号とＡＧＣレベルの情報を前記記憶手段に記憶し、
前記携帯機から受信したＩＤ信号が登録済みで２回目の受信のときの該ＩＤ信号のＡＧＣレベルの増加が前記所定範囲内のときには、該ＩＤ信号とＡＧＣレベルの情報を、前記錠を施解錠するための信号の出力後に前記記憶手段から消去し、
前記携帯機から受信したＩＤ信号が登録済みで２回目の受信のときの該ＩＤ信号のＡＧＣレベルの増加が前記所定範囲内にないときには、該ＩＤ信号とＡＧＣレベルの情報を前記記憶手段から消去し、
前記携帯機から受信したＩＤ信号が登録済みでないときには、該ＩＤ信号とＡＧＣレベルの情報を破棄することを特徴とする。
【発明の効果】
【００１１】
本発明の電気錠システムによれば、錠を施解錠する際に、その都度特別な施解錠操作をすることなく携帯機を携帯して錠に近づくだけで錠の施解錠が行え、利用者の利便性を向上させることができる。また、携帯機と誘導磁界を利用して通信できる場所であれば配設位置が制約されないので、悪戯による破損や機能低下を防止するように隠して配設することが可能となり、セキュリティ性の向上させることができる。
【発明を実施するための最良の形態】
【００１２】
以下、本発明を実施するための最良の形態について、添付した図面を参照しながら詳細に説明する。図１は本発明に係る電気錠システムの概略構成を示すブロック図、図２は本発明に係る電気錠システムにおいてリーダからの照合信号に対する受信タイミングを説明するためのタイミングチャート図、図３は本発明に係る電気錠システムにおいて携帯機とリーダとの間の受信レベルと通信距離との関係を示す説明図、図４は本発明に係る電気錠システムの処理動作を説明するためのフローチャート図、図５は本発明に係る電気錠システムの動作タイミングを説明するためのタイミングチャート図である。
【００１３】
まず、本例の電気錠システムの構成について図１を参照しながら詳細に説明する。図１に示すように、電気錠システム１は、携帯機１０とリーダ２０とを備えて概略構成され、携帯機１０がリーダ２０の所定の通信エリア内に近接した際に起動する誘導磁界を利用して携帯機１０とリーダ２０との間で各種信号の送受信を行い、錠の施解錠制御を行っている。
【００１４】
なお、以下では、本例の電気錠システム１を一般住宅の玄関扉に採用した場合を例にとって説明するが、これに限定されるものではない。例えば高齢者や身障者専用の養護施設やオフィスビルなどに設けられた荷物運搬用の専用口など様々な場所に採用することができる。
【００１５】
携帯機１０は、住人が携帯した状態でリーダ２０の通信エリア内に所定距離近接することで起動する誘導磁界を利用して施解錠に必要な各種信号をリーダ２０との間で送受信するものであり、図１に示すように、携帯機側受信部１１、携帯機側制御部１２、携帯機側送信部１３、電源部１４を備えて構成される。
【００１６】
携帯機側受信部１１は、受信アンテナ１１ａと、受信回路１１ｂとを備えて構成される。受信アンテナ１１ａは、携帯機１０がリーダ２０の通信エリア内に近接した際に起動される誘導磁界により、リーダ２０から送信された照会信号を取り込んでいる。受信回路１１ｂは、受信アンテナ１１ａから照会信号Ｓを取り込むと、照会信号Ｓ毎にランダムに選択される受信ゲートの受信タイミングで受信アンテナ１１ａから照会信号Ｓを受信し、この受信した照会信号Ｓを所定の電圧レベルに変換した後、照会受信情報として携帯機側制御部１２に出力している。
【００１７】
ここで、図２は本例の電気錠システム１における送信タイミング、受信タイミングおよび受信ゲートの関係を示している。図２に示すように、基本タイミングＴは、リーダ２０から送信される照会信号Ｓの送信タイミングと、携帯機１０が照会信号Ｓに対する応答としてＩＤ信号をリーダ２０に返す受信タイミングによる。受信タイミングは、基本タイミングＴ毎に送信される照会信号Ｓ（Ｓ１，Ｓ２，…）に対して、受信回路１１ｂの受信ゲートをオープンしてからクローズするまでの時間であり、リーダ２０の後述する受信回路２１ｂの受信タイミングと対応して基本タイミングＴ毎に複数（図２の例では、受信１〜７の７つ）に分割されている。これにより、照会信号Ｓに対する複数の携帯機１０からリーダ２０への送信衝突を防止している。
【００１８】
携帯機側制御部１２は、例えばＣＰＵやＲＯＭ、ＲＡＭなどのマイクロコンピューターで構成される。携帯機側制御部１２は、携帯機側受信部１１からの照会受信情報が対応するリーダ２０から出力された照会受信情報であるか否かの判別を行い、正当な照会受信情報、すなわち対応したリーダ２０から送信された照会受信情報であると認証された場合にのみ、この照会信号に対する応答信号として自身を特定するＩＤ信号を携帯機側送信部１３に出力している。
【００１９】
携帯機側送信部１３は、送信アンテナ１３ａと、送信回路１３ｂとを備えて構成される。送信回路１３ｂは、携帯機側制御部１２からのＩＤ信号により送信アンテナ１３ａに流れる電流を直接駆動し、送信アンテナ１３ａからＩＤ信号を送信している。
【００２０】
電源部１４は、例えばボタン電池や乾電池などが着脱交換可能に設けられ、各部に必要な駆動電源を供給している。また、電源部１４は、電池を装着して電源を供給する構成の他に、リーダ２０との間で起動する誘導磁界により自励発電を行う自励発電装置として構成することもできる。
【００２１】
リーダ２０は、例えば扉内部や扉近傍の壁内部に携帯機１０と通信可能な状態で設けられ、携帯機１０との間で施解錠に関する各種信号を送受信する所定の通信エリアを有し、携帯機１０が通信エリアに対して所定距離近接することで起動する誘導磁界を利用して施解錠に必要な各種信号を携帯機１０との間で送受信している。このリーダ２０は、図１に示すように、リーダ側受信部２１、リーダ側制御部２２、リーダ側送信部２３、通信部２４、電源部２５を備えて構成される。
【００２２】
リーダ側受信部２１は、受信アンテナ２１ａ、受信回路２１ｂ、ＡＧＣ（Automatic Gain Control：自動利得制御）回路２１ｃを備えて構成される。受信アンテナ２１ａは、携帯機１０が通信エリアに対して所定距離近接することで起動する誘導磁界を利用して携帯機１０から送信されるＩＤ信号を取り込んでいる。受信回路２１ｂは、受信アンテナ２１ｂから取り込んだＩＤ信号を、リーダ側制御部２２からの後述する受信タイミングで受信し、この受信したＩＤ信号を所定の電圧レベルに変換して復調した後、ＩＤ受信情報としてリーダ側制御部２２に出力している。ＡＧＣ回路２１ｃは、受信アンテナ２１ａを介して受信回路２１ｂが受信した誘導電磁波の強さに応じて、受信回路２１ｂの利得（感度）が適正値となるように利得を自動的に可変制御している。そして、受信したＩＤ信号に基づくＡＧＣ回路２１ｃのＡＧＣレベルは、ＡＧＣレベル情報としてリーダ側制御部２２に出力される。
【００２３】
ここで、本例の電気錠システム１では、携帯機１０とリーダ２０との間で誘導磁界を利用して通信を行っており、例えば図３に示すように、携帯機１０とリーダ２０との間の通信距離が１００ｃｍのときの受信レベルが−４１．９ｄＢ、携帯機１０とリーダ２０との間の通信距離が１２０ｃｍのときの受信レベルが−４６．７ｄＢといったように、携帯機１０とリーダ２０との間の通信距離と受信レベルとの関係が物理常数であり、受信レベルが通信距離の３乗に反比例している。そして、本例のシステムによれば、ＩＤ信号毎に受信レベル変化を見ることでリーダ２０に対する携帯機１０の接近速度が検出でき、受信レベルからリーダ２０に対する携帯機１０の距離が計測できる。
【００２４】
リーダ側制御部２２は、例えばＣＰＵやＲＯＭ、ＲＡＭなどのマイクロコンピューターで構成される。このリーダ側制御部２２は、図１に示すように、、記憶手段２２ａ、ＩＤ判別手段２２ｂ、受信回数判別手段２２ｃ、ＡＧＣレベル判別手段２２ｄを備えている。リーダ側制御部２２は、図２や図５に示すような基本タイミングＴ毎の周期的な照会信号Ｓの生成、この照会信号Ｓの送信に伴う携帯機１０からのＩＤ信号を受信するための受信タイミング（携帯機１０からのＩＤ信号の受信ために基本タイミングＴ内で受信ゲートをオープンしてからクローズするまでの時間）の生成、受信タイミングの受信ゲート毎に受信回路２１ｂの出力を有効にする制御、リーダ側受信部２１からのＩＤ受信情報に関する判別処理、リーダ側受信部２１からのＡＧＣレベル情報に関する判別処理を行い、これらの判別結果に応じて施解錠に関する各種制御を行う。
【００２５】
記憶手段２２ａは、例えば磁気的、光学的記憶媒体若しくはＲＯＭ、ＲＡＭなどの半導体メモリで構成され、携帯機１０から取得したＩＤ受信情報（ＩＤ信号）が登録済みの情報か否かを判別するための認証用ＩＤ受信情報、登録済みのＩＤ受信情報の受信回数、前回受信したＩＤ信号のＡＧＣレベル情報、現在受信したＩＤ信号のＡＧＣレベル情報と前回のＡＧＣレベル情報とを比較して所定範囲内のレベル増加か否かを判別するためのＡＧＣレベル判別用データなど、各部の駆動制御に関する各種データを記憶している。
【００２６】
ＩＤ判別手段２２ｂは、リーダ側受信部２１からのＩＤ受信情報（ＩＤ信号）と、記憶手段２２ａに記憶されたＩＤ受信情報（登録済みのＩＤ受信情報）とを比較し、リーダ側受信部２１からのＩＤ受信情報が記憶手段２２ａに登録済みであるか否かを判別している。そして、ＩＤ判別手段２２ｂは、リーダ側受信部２１からのＩＤ受信情報が記憶手段２２ａに登録されたものでないと判定したときに、そのＩＤ受信情報と、そのときのＡＧＣレベル情報とを破棄している。
【００２７】
受信回数判別手段２２ｃは、ＩＤ判別手段２２ｂによってリーダ側受信部２１からのＩＤ受信情報が記憶手段２２ａに登録済みと判定したときに、その登録済みのＩＤ受信情報の受信が１回目か否かを判別している。そして、受信回数判別手段２２ｃは、ＩＤ受信情報の受信が１回目と判定したときに、そのとき取り込んだＩＤ受信情報（ＩＤ信号）とＡＧＣレベル情報とを記憶手段２２ａに記憶している。
【００２８】
ＡＧＣレベル判別手段２２ｄは、受信回数判別手段２２ｃによって登録済みのＩＤ受信情報の受信が１回目と判定したときに、そのときのＡＧＣレベル情報を記憶手段２２ａに記憶している。これに対し、受信回数判別手段２２ｃによって登録済みのＩＤ受信情報の受信が１回目でない（２回目）と判定したときには、そのときのＡＧＣレベル情報と記憶手段２２ａに記憶された前回のＡＧＣレベル情報とを比較し、レベルの増加が記憶手段２２ａに記憶されたＡＧＣレベル判別用データの所定範囲内にあるか否かを判別している。そして、受信したＡＧＣレベル情報の増加が所定範囲内と判定したときには、通信部２４に不図示の電気錠ユニットを駆動させるための駆動信号を出力するとともに、携帯機１０にＩＤ信号の送信を要求するための照会信号をリーダ側送信部２３に出力している。
【００２９】
なお、ＡＧＣ判別手段２２ｄは、登録済みのＩＤ受信情報の受信が１回目でなく、そのときのＡＧＣレベル情報と記憶手段２２ａに記憶された前回のＡＧＣレベル情報との比較により今回のＡＧＣレベル情報の増加が所定範囲内にないと判定したときは、そのときのＩＤ受信情報（ＩＤ信号）とＡＧＣレベル情報を記憶手段２２ａから消去している。
【００３０】
リーダ側送信部２３は、送信アンテナ２３ａと、送信回路２３ｂとを備えて構成される。送信回路２３ｂは、ＡＧＣレベル判別手段２２ｂからの照会信号を、記憶手段２２ａに記憶された送信タイミング情報に基づく基本タイミングＴ毎に送信アンテナ２３ａから周期的に送信している。
【００３１】
通信部２４は、例えば通信ケーブルなどを接続するための通信コネクタなどで構成され、不図示の電気錠ユニットと通信可能に接続し、ＡＧＣレベル判別手段２２ｄから出力された駆動信号を出力している。なお、上記電気錠ユニットは、ＡＧＣレベル判別手段２２ｄからの駆動信号により電気錠に通電し、電気錠を解錠（又は施錠）するものである。
【００３２】
電源部２５は、商用電源（ＡＣ１００Ｖ）を外部電源として電源の供給を受け、各部に駆動電源を供給している。なお、電源部２５は、扉の所定箇所に着脱交換可能に設けられる扉内電池ユニットで構成することもできる。
【００３３】
次に、上述した電気錠システム１の処理動作について図４及び図５を参照しながら説明する。ここでは、本例の電気錠システム１を一般住宅の玄関扉に配設し、住人が帰宅した際に携帯機１０を用いて玄関扉を解錠する場合を例にとって説明する。
【００３４】
図５に示すように、「リーダ送信」として、リーダ２０からは基本タイミングＴ毎に照会信号Ｓ（Ｓ１，Ｓ２，…）を周期的に送信している。そして、住人がリーダ２０の通信エリア内に近接していない状態では、リーダ２０が携帯機１０からＩＤ信号を受信しない（図５の「リーダ受信」、「Ｒ１」の状態）。
【００３５】
この状態から、携帯機１０を携帯した住人がリーダ２０の通信エリア内に近接すると（ＳＴ１）、携帯機１０とリーダ２０との間で誘導磁場が発生し、この誘導磁場を利用してリーダ２０から携帯機１０に照会信号Ｓを送信する（ＳＴ２）。携帯機１０は、リーダ２０からの照会信号Ｓを選択された受信タイミングで受信すると、この照会信号Ｓの正当性を判別する（ＳＴ３）。携帯機１０は、対応するリーダ２０から送信された照会信号Ｓと認証すると（ＳＴ３−Ｙｅｓ）、この照会信号Ｓに対する応答としてＩＤ信号をリーダ２０に送信する（ＳＴ４）。
【００３６】
そして、リーダ２０は、携帯機１０から送信されたＩＤ信号を所定の受信タイミング（例えば図５の「リーダ受信」、「Ｒ２」の状態）で受信すると（ＳＴ５）、この受信したＩＤ信号が記憶手段２２ａに登録済みか否かを判別する（ＳＴ６）。そして、受信したＩＤ信号が記憶手段２２ａに登録済みでないと判定すると（ＳＴ６−Ｎｏ）、そのとき受信したＩＤ受信情報（ＩＤ信号）とＡＧＣレベル情報を破棄する（ＳＴ７）。
【００３７】
これに対し、受信したＩＤ信号が記憶手段２２ａに登録済みと判定すると（ＳＴ６−Ｙｅｓ）、受信したＩＤ信号が１回目の受信であるか否かを判別する（ＳＴ８）。そして、受信したＩＤ信号が１回目の受信であると判定すると（ＳＴ８−Ｙｓｅ）、受信したＩＤ信号によるＩＤ受信情報とＡＧＣレベル情報とを記憶手段２２ａに記憶し（ＳＴ９）、ＳＴ５の処理に戻る。
【００３８】
これに対し、受信したＩＤ信号が１回目の受信でない（２回目の受信）と判定すると（ＳＴ８−Ｎｏ）、そのときのＩＤ信号のＡＧＣレベル情報と前回受信したＩＤ信号のＡＧＣレベル情報とを比較し、レベルの増加（例えば図５のΔＶ）が所定範囲内か否かを判別する（ＳＴ１０）。
【００３９】
そして、レベルの増加が所定範囲内であると判定すると（ＳＴ１０−Ｙｅｓ）、電気錠の解錠を行うための駆動信号を通信部２４を介して電気錠ユニットへ出力する（ＳＴ１１）。続いて、そのときのＩＤ受信情報（ＩＤ信号）とＡＧＣレベル情報とを記憶手段２２ａから消去する（ＳＴ１２）。その後、照会信号Ｓに対する携帯機１０からのＩＤ信号の受信待ちに移行する。
【００４０】
これに対し、レベルの増加が所定範囲内にないと判定すると（ＳＴ１０−Ｎｏ）、そのときのＩＤ受信情報（ＩＤ信号）とＡＧＣレベル情報とを記憶手段２２ａから消去する（ＳＴ１２）。その後、照会信号Ｓに対する携帯機１０からのＩＤ信号の受信待ちに移行する。
【００４１】
このように、本例の電気錠システム１は、利用者が所有する携帯機１０がリーダ２０の通信エリア内に近接した際に起動する誘導磁界を利用し、携帯機１０がリーダ２０の通信エリア内に近接したときに、携帯機１０がリーダ２０から周期的に送信される照会信号Ｓを、選択された受信タイミングで受信し、この受信した照会信号Ｓが正当であった場合のみ携帯機１０からリーダ２０にＩＤ信号を送信する。そして、リーダ２０は、携帯機１０から送信されたＩＤ信号を所定の受信タイミングで受信し、この受信したＩＤ信号が登録済みかを判別し、登録済みのＩＤ信号と判定したときには受信した回数を判別する。そして、受信回数が１回目でなと判定したときには、そのときのＩＤ信号のＡＧＣレベルと前回のＡＧＣレベルとを比較し、レベルの増加が所定範囲内であると判定したときのみ錠を施解錠するための駆動信号を電気錠ユニットに出力している。
【００４２】
これにより、錠を施解錠する際に、その都度特別な施解錠操作をすることなく、利用者は携帯機１０を携帯してリーダに近づくだけの接近検知により錠の施解錠を行うことができる。その結果、例えば両手が荷物等でふさがっている利用者であっても、解錠後に肘だけで開扉することができる。特に、重い荷物を持っている場合には、利用者転倒や運搬物の落下を防止することができる。また、リーダ設置高さに手が届かない背の小さな子供や老人、上肢の不自由な身障者、車椅子利用者など、幅広く利用することができ、リーダに触れることなく容易に錠の施解錠が行え、利便性の向上を図ることができる。
【００４３】
しかも、リーダ２０は、携帯機１０との間で誘導磁界が起動できる位置に配設されていればよいので、金属以外の物（例えば周囲と同じ壁紙など）でリーダ２０を隠して配設することができる。これにより、リーダ２０の配設位置の制約が軽減され、美観を損なうこともない。そして、リーダ２０を隠して配設すれば、リーダ２０と気付かれることもないので、悪戯による破損や機能低下を防止でき、セキュリティを向上することができる。
【００４４】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００４５】
【図１】本発明に係る電気錠システムの概略構成を示すブロック図である。
【図２】本発明に係る電気錠システムにおいてリーダからの照合信号に対する受信タイミングを説明するためのタイミングチャート図である。
【図３】本発明に係る電気錠システムにおいて携帯機とリーダとの間の受信レベルと通信距離との関係を示す説明図である。
【図４】本発明に係る電気錠システムの処理動作を説明するためのフローチャート図である。
【図５】本発明に係る電気錠システムの動作タイミングを説明するためのタイミングチャート図である。
【図６】特許文献１に開示される従来の電気錠システムの概略構成を示す部分斜視図である。
【符号の説明】
【００４６】
１  電気錠システム
１０  携帯機
１１  携帯機側受信部
１１ａ  受信アンテナ
１１ｂ  受信回路
１２  携帯機側制御部
１３  携帯機側送信部
１３ａ  送信アンテナ
１３ｂ  送信回路
１４  電源部
２０  リーダ
２１  リーダ側受信部
２１ａ  受信アンテナ
１１ｂ  受信回路
２２  リーダ側制御部
２２ａ  記憶手段
２２ｂ  ＩＤ判別手段
２２ｃ  受信回数判別手段
２２ｄ  ＡＧＣレベル判別手段
２３  リーダ側送信部
２３ａ  送信アンテナ
２３ｂ  送信回路
２４  通信部
２５  電源部
【図１】
2008082097.tif 000003
【図２】
2008082097.tif 000004
【図３】
2008082097.tif 000005
【図４】
2008082097.tif 000006
【図５】
2008082097.tif 000007
【図６】
2008082097.tif 000008